(57)【要約】【課題】  液晶モジュールの点検作業などを行う際に、液晶型テレビジョン受像機のリアキャビネットや支持脚をフロントキャビネットを自立させることに有効活用する。【解決手段】  リアキャビネット３に、キャビネット１を自立させるための支持脚５を取り付ける。キャビネット１の下端部でフロントキャビネット２とリアキャビネット３とを回動可能に結合し、その結合箇所を支点として、リアキャビネット３をフロントキャビネット２の前側に突き出る開位置に開くことができるようにする。フロントキャビネット２に液晶モジュール４を取り付けておき、リアキャビネット３を開くと、フロントキャビネット２の背面に液晶モジュール４が露出するように構成する。開位置に開いたリアキャビネット３側の支持脚５にフロントキャビネット２を立てかけると、フロンキキャビネット２が自立する。【選択図】        図７
2007295382.tif 000002
【特許請求の範囲】
【請求項１】
液晶モジュールを取り付けたフロントキャビネットとこのフロントキャビネットに結合されて上記液晶モジュールを背部から覆うリアキャビネットとに分割されているキャビネットの上記リアキャビネットに、当該キャビネットを支えて自立させるための支持脚が取り付けられていて、この支持脚が上記キャビネットを支えるときにそのキャビネットが載置された被載置面に載せ掛けられる着座部を備えている液晶型テレビジョン受像機において、
支持脚の上記着座部が、ロッド状の支持脚本体に弾力性を備えたゴム筒でなる滑り止め部材を嵌合装備させてなり、
上記キャビネットの下端部で上記フロントキャビネットと上記リアキャビネットとが回動可能に結合されていて、その結合箇所を支点として、上記リアキャビネットが、上記フロントキャビネットに結合されて上記液晶モジュールを背部から覆う閉位置と、上記フロントキャビネットの前側に突き出る開位置との間で開閉可能とされ、かつ、リアキャビネットを開くことにより背面が開放されたフロントキャビネットの背面に上記液晶モジュールに備わっている当該モジュール制御用の回路基板が露出するようになっていると共に、上記リアキャビネットの上記フロントキャビネットに対する合わせ部に、上記フロントキャビネットが載置された作業面に対する載置部が具備され、
上記フロントキャビネットの前面に、上記着座部の滑り止め部材を圧入可能な溝形部でなる係止部が備わっていることを特徴とする液晶型テレビジョン受像機。
【請求項２】
液晶モジュールを取り付けたフロントキャビネットとこのフロントキャビネットに結合されて上記液晶モジュールを背部から覆うリアキャビネットとに分割されているキャビネットの上記リアキャビネットに、当該キャビネットを支えて自立させるための支持脚が取り付けられていて、この支持脚が上記キャビネットを支えるときにそのキャビネットが載置された被載置面に載せ掛けられる着座部を備えている液晶型テレビジョン受像機において、
上記リアキャビネットが上記フロントキャビネットに対して開閉可能とされ、リアキャビネットを開くことにより背面が開放されて上記液晶モジュールを露出させた上記フロントキャビネットを、上記支持脚の着座部に立て掛けて自立させ得るように構成してあることを特徴とする液晶型テレビジョン受像機。
【請求項３】
上記液晶モジュールが当該モジュール制御用の回路基板を備えていて、その回路基板が、背面が開放されたフロントキャビネットの背面で露出するようになっている請求項２に記載した液晶型テレビジョン受像機。
【請求項４】
支持脚の上記着座部が、ロッド状の支持脚本体に弾力性を備えた滑り止め部材を装備させてなる請求項２又は請求項３に記載した液晶型テレビジョン受像機。
【請求項５】
上記キャビネットの下端部で上記フロントキャビネットと上記リアキャビネットとが回動可能に結合されていて、その結合箇所を支点として、上記リアキャビネットが、上記フロントキャビネットに結合されて上記液晶モジュールを背部から覆う閉位置からそのフロントキャビネットの前側に突き出る開位置まで開動可能とされ、そのリアキャビネットの上記フロントキャビネットに対する合わせ部に、上記フロントキャビネットが載置された作業面に対する載置部が具備されている請求項２ないし請求項４のいずれか１項に記載した液晶型テレビジョン受像機。
【請求項６】
上記フロントキャビネットの前面に、上記支持脚の着座部を係脱可能な係止部が備わっている請求項５に記載した液晶型テレビジョン受像機。
【発明の詳細な説明】
【技術分野】
【０００１】
本発明は、液晶型テレビジョン受像機、詳しくは、キャビネットに収容されている液晶モジュールやそれを制御するための回路基板の検査ないしメンテナンスを行う際に、キャビネットを構成しているリアキャビネットを有効活用することのできる対策を講じた液晶型テレビジョン受像機に関する。
【背景技術】
【０００２】
液晶型テレビジョン受像機のキャビネットは一般的に偏平形状を有しているためにそのキャビネット自体は自立性を有していない。そこで、キャビネットにスタンドを具備させておき、キャビネットをスタンドに立て掛けて自立させるようにすることが多々行われている（たとえば、特許文献１、特許文献２、特許文献３参照）。また、スタンドの着座部に滑り止めゴムを取り付けることも知られている（たとえば、特許文献４参照）。
【０００３】
そして、また、特許文献１には、スタンドをキャビネットに対する収納位置とキャビネットの後方に開いた位置との間で回動可能にすることが記載され、特許文献２には、スタンドをキャビネットに対して回動させることによってディスプレイ装置の傾斜や高さを変更可能にすることが記載されている。
【０００４】
一方、液晶型テレビジョン受像機のキャビネットは、通常、液晶モジュールを取り付けたフロントキャビネットとこのフロントキャビネットに結合されて上記液晶モジュールを背部から覆うリアキャビネットとに分割されている。そして、上記したスタンドとしての機能を発揮する支持脚を取り付けるときには、その支持脚をリアキャビネットに取り付けることが多く、その支持脚には、キャビネットを支えるときにそのキャビネットが載置された被載置面に載せ掛けられる着座部が備わっている。
【０００５】
ところで、液晶型テレビジョン受像機については、開発段階や組立工程などでキャビネットに収容されている液晶モジュールに対する各種の点検や性能検査といった検討や測定が加えられる。また、ユーザが購入後に故障したようなときにも液晶モジュールの修理などが行われる。そして、これらの点検、性能検査、修理などに際しては、キャビネットを分解して液晶モジュールを露出させることが必要である。
【０００６】
そこで、たとえば開発段階や検討段階において、技術者が机上で液晶モジュールの点検や性能検査などの作業を行う場合、従来は、液晶モジュールが取り付けられているフロントキャビネットからリアキャビネットを取り外してフロントキャビネットの背面を開いた後、そのフロントキャビネットを机上に倒伏姿勢で載置したり、そのフロントキャビネットを何かで支えて自立姿勢で載置したりしていた。また、取り外したリアキャビネットは、じゃまにならないように床上に置いておくといった措置が採られていた。
【特許文献１】特開２００２−１７１４６１号公報
【特許文献２】特開２００４−２１９６４５号公報
【特許文献３】特開２００５−１５６６４５号公報
【特許文献４】実用新案登録第３１０９８３４号公報
【発明の開示】
【発明が解決しようとする課題】
【０００７】
しかしながら、リアキャビネットを取り外したフロントキャビネットを机上に倒伏姿勢で載置したまま作業を行うと作業者の作業姿勢が悪くなって作業性が低下するということが知見された。また、フロントキャビネットを何かで支えて自立姿勢で載置すると、作業性は改善されるものの、フロントキャビネットを支えさせる物によってはフロントキャビネットの自立姿勢が安定しなくなってその点で作業性が低下したりすることが多かった。また、フロントキャビネットを支えることに用い得る物が見つからないこともあった。
【０００８】
そこで、本願発明者は、フロントキャビネットから取り外したリアキャビネットやそのリアキャビネットに取り付けられている支持脚を、フロントキャビネットを安定性よく自立させることに有効活用することができれば、液晶モジュールの点検、性能検査、修理などの作業を楽な姿勢で効率よく行うことができることに加えて、リアキャビネットを床上に置いておく必要がなくなって床上が乱雑になることを避けられるであろうと考えた。
【０００９】
本発明は以上の状況の下でなされたものであり、フロントキャビネットとリアキャビネットとに分割されているキャビネットに一定の対策を講じておくことによって、そのリアキャビネットやリアキャビネットに取り付けられている支持脚を、液晶モジュールの点検、性能検査、修理などの作業に際してフロントキャビネットの自立のために有効活用することができるようにすることを目的とする。
【課題を解決するための手段】
【００１０】
本発明に係る液晶型テレビジョン受像機は、液晶モジュールを取り付けたフロントキャビネットとこのフロントキャビネットに結合されて上記液晶モジュールを背部から覆うリアキャビネットとに分割されているキャビネットの上記リアキャビネットに、当該キャビネットを支えて自立させるための支持脚が取り付けられていて、この支持脚が上記キャビネットを支えるときにそのキャビネットが載置された被載置面に載せ掛けられる着座部を備えている液晶型テレビジョン受像機において、上記リアキャビネットが上記フロントキャビネットに対して開閉可能とされ、リアキャビネットを開くことにより背面が開放されて上記液晶モジュールを露出させた上記フロントキャビネットを、上記支持脚の着座部に立て掛けて自立させ得るように構成してある。
【００１１】
この発明では、フロントキャビネットから取り外して開いたリアキャビネットの支持脚でフロントキャビネットを支えて自立させるという対策を講じてあるので、フロントキャビネットを自立させてそれに取り付けられている液晶モジュールの点検、性能検査、修理などを楽に効率よく行うことが可能になるだけでなく、フロントキャビネットを自立させるのに使用できる物を探す必要がなく、併せて、リアキャビネットを床上に置いておく必要がなくなるという利点もある。
【００１２】
本発明では、上記液晶モジュールが当該モジュール制御用の回路基板を備えていて、その回路基板が、背面が開放されたフロントキャビネットの背面で露出するようになっているものであってもよく、このものによれば、液晶モジュールの回路基板の点検や性能検査、修理などの作業を行うときに、作業者は起立姿勢の回路基板に対面して楽な姿勢で作業を行うことができるためにその作業者が無理な姿勢を採る必要がなくなって作業環境が改善される。
【００１３】
本発明では、支持脚の上記着座部が、ロッド状の支持脚本体に弾力性を備えた滑り止め部材を装備させてなることが望ましい。これによれば、当該液晶型テレビジョン受像機の通常使用時に、支持脚が被載置面上で滑ってその液晶型テレビジョン受像機が倒れたりすることがなくなるだけでなく、液晶モジュールの点検、性能検査、修理などに際してフロントキャビネットをその着座部に立て掛けて自立させたときに、フロントキャビネットの傷付きがその着座部の弾力性によって防止される。
【００１４】
本発明では、上記キャビネットの下端部で上記フロントキャビネットと上記リアキャビネットとが回動可能に結合されていて、その結合箇所を支点として、上記リアキャビネットが、上記フロントキャビネットに結合されて上記液晶モジュールを背部から覆う閉位置からそのフロントキャビネットの前側に突き出る開位置まで開動可能とされ、そのリアキャビネットの上記フロントキャビネットに対する合わせ部に、上記フロントキャビネットが載置された作業面に対する載置部が具備されていることが望ましい。この構成を採用すると、液晶モジュールの点検、性能検査、修理などの作業に際してフロントキャビネットを自立させた場合に、被載置面上に載置されたリアキャビネットが台座としての機能を発揮し、しかも、そのようなリアキャビネットにフロントキャビネットが結合したままになっているので、フロントキャビネットの自立安定性が向上する。特に、多くの場合にリアキャビネットのサイズがフロントキャビネットのサイズと同等に定められているために、そのようなリアキャビネットが被載置面に対して高い着座安定性を発揮して、フロントキャビネットの自立安定性を高めることに役立つ。
【００１５】
本発明では、上記フロントキャビネットの前面に、上記支持脚の着座部を係脱可能な係止部が備わっているものであってもよい。これによれば、支持脚の着座部をフロントキャビネットの係止部に係合させておくことによってフロントキャビネットの自立安定性がいっそう高まる。
【００１６】
本発明に係る液晶型テレビジョン受像機は、液晶モジュールを取り付けたフロントキャビネットとこのフロントキャビネットに結合されて上記液晶モジュールを背部から覆うリアキャビネットとに分割されているキャビネットの上記リアキャビネットに、当該キャビネットを支えて自立させるための支持脚が取り付けられていて、この支持脚が上記キャビネットを支えるときにそのキャビネットが載置された被載置面に載せ掛けられる着座部を備えている液晶型テレビジョン受像機において、支持脚の上記着座部が、ロッド状の支持脚本体に弾力性を備えたゴム筒でなる滑り止め部材を嵌合装備させてなり、上記キャビネットの下端部で上記フロントキャビネットと上記リアキャビネットとが回動可能に結合されていて、その結合箇所を支点として、上記リアキャビネットが、上記フロントキャビネットに結合されて上記液晶モジュールを背部から覆う閉位置と、上記フロントキャビネットの前側に突き出る開位置との間で開閉可能とされ、かつ、リアキャビネットを開くことにより背面が開放されたフロントキャビネットの背面に上記液晶モジュールに備わっている当該モジュール制御用の回路基板が露出するようになっていると共に、上記リアキャビネットの上記フロントキャビネットに対する合わせ部に、上記フロントキャビネットが載置された作業面に対する載置部が具備され、上記フロントキャビネットの前面に、上記着座部の滑り止め部材を圧入可能な溝形部でなる係止部が備わっている、という構成を採用することによっていっそう具体化される。この発明の作用などについては、後述する実施形態を参照して詳細に説明する。
【発明の効果】
【００１７】
以上のように、本発明によれば、液晶型テレビジョン受像機のキャビネットを構成しているリアキャビネットやそれに取り付けられている支持脚を、液晶モジュールの点検、性能検査、修理などの作業を行う際に、フロントキャビネットを自立させることに有効活用することが可能になるので、作業者が楽な姿勢でその作業を行うことができるようになって作業環境が改善されるだけでなく、従来では作業のじゃまにならないように床上に置いていたリアキャビネットが作業に有効活用されて床が乱雑にならないという効果が奏される。
【発明を実施するための最良の形態】
【００１８】
図１は本発明の実施形態に係る液晶型テレビジョン受像機を例示した概略斜視図、図２はフロントキャビネット２に対するリアキャビネット３の結合箇所を示した部分分解斜視図、図３はフロントキャビネット２に対するリアキャビネット３の他の結合箇所を示した部分縦断面図、図４は支持脚５の着座部とフロントキャビネット２の係止部としての係合溝とを示した部分斜視図、図５はリアキャビネット３の概略背面図、図６は液晶型テレビジョン受像機の通常使用状態を示した概略側面図、図７は液晶モジュール４の点検、性能検査、修理などの作業に際して採用されるフロントキャビネットの自立状態を示した概略側面図、支持脚５の着座部５２をフロントパネル２の係止部２３に圧入させた状態の部分断面図である。
【００１９】
図１に示した液晶型テレビジョン受像機において、偏平箱形のキャビネット１は、フロントキャビネット２とそのフロントキャビネット２に結合されたリアキャビネット３とに分割されていて、フロントキャビネット２に備わっている矩形の開口２１には、キャビネット１の内部に収容されている液晶モジュール４の表示面４１が臨んでいる。リアキャビネット３には支持脚５が取り付けられている。図５又は図６のように、支持脚５はその基部がリアキャビネット３に横軸５１を介して取り付けられて、リアキャビネット３に沿う格納位置とリアキャビネット３の背方に拡げられた作用位置との間で横軸５１の回りに変位可能となっている。また、支持脚５の自由端部には、ロッド状の支持脚本体５３に弾力性を備えたゴム筒でなる滑り止め部材５４を嵌合装備させてなる着座部５２が備わっている。そして、図６のように、支持脚５をリアキャビネット３の背方に拡げてその着座部５２をキャビネット１の下端が載置されている被載置面Ｓに載せ掛けることによって、キャビネット１を図示のように被載置面Ｓ上で自立させることができるようになっている。したがって、この液晶型テレビジョン受像機によると、図６のように被載置面Ｓ上で支持脚５の助けによってキャビネット１を自立させた状態でユーザが上記表示面４１に表示される画像を楽しむことができる。また、キャビネット１を自立させている支持脚５の着座部５２には、ゴム筒でなる滑り止め部材５４が備わっているために、その着座部５２が被載置面Ｓ上で滑りにくく、その結果、着座部５２が滑ってキャビネット１が倒れるという事態が起こりにくい。
【００２０】
この実施形態の液晶型テレビジョン受像機において、液晶モジュール４はフロントキャビネット２に取り付けられていて、リアキャビネット３がその液晶モジュール４を背部から覆っている。そして、リアキャビネット３はフロントキャビネット２に次に説明する構成を採用して開閉可能に結合されている。
【００２１】
すなわち、図１又は図２のように、フロントキャビネット２とリアキャビネット３とはそれらの下端部同士が軸支機構６によって回動可能に結合されている。図例において、この軸支機構６は、フロントキャビネット２の下端部の側面に設けられた横軸６１と、リアキャビネット３の下端部に一体に具備された取付け片部６２と、この取付け片部６２に具備されて上記横軸６１が嵌合された凹入状の孔部６３とによって構成されている。なお、この軸支機構６は、キャビネット１の下端部の左右両側に備わっているのであって、図１や図２では、キャビネット１の下端部の右側に備わっている軸支機構６が図示されている。また、キャビネット１の左右両側部及び上部では、フロントキャビネット２にリアキャビネット３が係止機構やビス止め機構などによってそれら両者２，３が結合されている。図３には係止機構７によってフロントキャビネット２にリアキャビネット３を結合させた事例を示していて、図例の係止機構７は、フロントキャビネット２側に設けられた係止孔部７１にリアキャビネット３側に設けられた係止爪７２を係止させることによって構成されている。
【００２２】
この液晶テレビジョン受像機において、上記係止機構７による係止状態を解除すると、リアキャビネット３の下端部が上記軸支機構６だけによってフロントキャビネット２に結合された状態になり、その結果、軸支機構６による結合箇所を支点としてリアキャビネット３がフロントキャビネット２に対して回動可能になる。そこで、この実施形態では、図２のようにフロントキャビネット２の下端部に凹所２２を具備させ、その凹所２２にリアキャビネット３の上記取付け片部６２が配備される構成を採用することによって、上記結合箇所を支点とするリアキャビネット３の開閉可能範囲を、フロントキャビネット２に取り付けられている液晶モジュール４を背部から覆う閉位置（フロントキャビネット２に上記係止機構７を介して結合される位置）と、フロントキャビネット２の前側に突き出る開位置との間に定めてある。そして、このようにリアキャビネット３を開いてフロントキャビネット２の背面を開放すると、フロントキャビネット２に取り付けられている液晶モジュール４がそのフロントキャビネット２の背部に露出される。この実施形態では、液晶モジュール４はその背部に当該モジュール制御用の回路基板４２を備えている。そのため、リアキャビネット３を開いてフロントキャビネット２の背面を開放することにより、その回路基板４２がフロントキャビネット２の背部で露出する。
【００２３】
液晶モジュール４の点検、性能検査、修理などを行うときには、図７の矢印Ａのように、リアキャビネット３をその閉位置からフロントキャビネット２の前側に突き出る開位置に回動させてから、リアキャビネット３を机上などの作業面Ｓ１の上に置くことと併せて、リアキャビネット３に取り付けられている支持脚５をリアキャビネット３に対して拡げてその着座部５に矢印Ｂのように前向きに倒したフロントキャビネット２を立て掛けると、フロントキャビネット２が支持脚５の助けによって作業面Ｓ１上で自立する。したがって、作業者はその状態でフロントキャビネット２の背部に露出している液晶モジュール４やその回路基板４２を矢印Ｅ１で示す方向から見ながらその点検、性能検査、修理などを楽な姿勢で行うことができるようになる。また、作業者は、液晶モジュール４やその回路基板４２の点検、性能検査、修理などを行いながら、矢印Ｅ２の方向から表示面４１を見てその表示面４１に表示される画像品質を確認することも可能である。
【００２４】
このようにリアキャビネット３をフロントキャビネット２の前側に突き出る開位置にして作業面Ｓ１の上にリアキャビネット３を置いた場合、リアキャビネット３のフロントキャビネット２に対する合わせ部３１（フロントキャビネット２に結合したときにそのフロントキャビネット２に重ね合わされる周縁部をいう）のサイズがフロントキャビネット２の外周縁と同等のサイズになっているために、その合わせ部３１に作業面Ｓ１に対する載置部３２を形成しておくと、リアキャビネット３が作業面Ｓ１上の広い範囲で支えられてがたつくことなく作業面Ｓ１上に着座するようになる。このために、フロントキャビネット２の自立安定性が高まり、ユーザにとっては、上記した液晶モジュール４やその回路基板４２の点検、性能検査、修理などを確実に行うことができるという利点がある。併せて、リアキャビネット３がフロントキャビネット２を自立させることに有効活用されるために、そのリアキャビネット３を作業のじゃまにならないように床面に置いておくという必要がなくなり、床面がその上に放置されたリアキャビネット３で乱雑になるという事態も起こり得ない。
【００２５】
液晶モジュール４やその回路基板４２の点検、性能検査、修理などを行った後では、支持脚５の着座部５２からフロントキャビネット２を離し、かつ、リアキャビネット３を閉位置まで回動させて図３に示した係止機構７でそのリアキャビネット３をフロントキャビネット２に結合する。
【００２６】
ところで、この実施形態では、図１又は図４のようにフロントキャビネット２の前面に溝形部でなる係止部２３を具備させてあり、その係止部２３に、図８のように支持脚５の着座部５２を圧入可能としてある。こうしておくと、図７に示したようにフロントキャビネット２を支持脚５の助けによって自立させるときに、その支持脚５の着座部５２を図８のように上記係止部２３に圧入させておくことができ、そのようにしておくと、着座部５２がフロントキャビネット２に対して滑って支持脚５がフロントキャビネット２から外れてしまうという事態が起こらなくなる。したがって、フロントキャビネット２の自立安定性がいっそう向上することになり、ユーザにとって、液晶モジュール４やその回路基板４２の点検、性能検査、修理などをいっそう確実に行うことができるようになる。
【００２７】
この実施形態では、キャビネット１の下端部でフロントキャビネット２にリアキャビネット３を回動可能に結合する手段として、図２などに示した横軸６１や凹部５３などを備えた軸支機構６を採用したけれども、この手段に他の手段を採用することも勿論可能である。また、図３に示した係止機構７に代えて、あるいはその係止機構７と共に、ビス止めによる結合機構を採用することも可能である。
【００２８】
また、上記支持脚５はリアキャビネット３に対する開き角度を変更可能としたり、伸縮可能としたりしておくことによって、その支持脚５の着座面５２によっでフロントキャビネット２をより安定性よく立て掛けることができるようになり、上掲の実施形態では、そのように支持脚５の開き角度や伸縮を可能にしてある。
【図面の簡単な説明】
【００２９】
【図１】本発明の実施形態に係る液晶型テレビジョン受像機を例示した概略斜視図である。
【図２】キャビネットの下端部でのフロントキャビネットに対するリアキャビネットの結合箇所を示した部分分解斜視図である。
【図３】フロントキャビネットに対するリアキャビネットの他の結合箇所を示した部分縦断面図である。
【図４】支持脚の着座部とフロントキャビネットの係止部としての係合溝とを示した部分斜視図である。
【図５】リアキャビネットの概略背面図である。
【図６】液晶型テレビジョン受像機の通常使用状態を示した概略側面図である。
【図７】液晶モジュールの点検作業などに際して採用されるフロントキャビネットの自立状態を示した概略側面図である。
【図８】支持脚の着座部をフロントパネルの係止部に圧入させた状態の部分断面図である。
【符号の説明】
【００３０】
１  キャビネット
２  フロントキャビネット
３  リアキャビネット
４  液晶モジュール
５  支持脚
２３  係止部
３１  リアキャビネットの合わせ部
３２  載置部
４２  液晶モジュールの回路基板
５２  着座部
５３  支持脚本体
５４  滑り止め部材
Ｓ  被載置面
Ｓ１  作業面
【図１】
2007295382.tif 000003
【図２】
2007295382.tif 000004
【図３】
2007295382.tif 000005
【図４】
2007295382.tif 000006
【図５】
2007295382.tif 000007
【図６】
2007295382.tif 000008
【図７】
2007295382.tif 000009
【図８】
2007295382.tif 000010